(57)【要約】      （修正有）【課題】冷間圧延でも熱間圧でも使用可能な、ストリップを圧延する際に潤滑をするための簡素化された方法を提供する。【解決手段】混合物が、ロールスタンドの前の領域内の少なくとも１つの混合装置によって処理されること、水と少なくとも１つのオイルが、別々の供給ライン７，８，９を介して混合器１２に移送され、この混合器内で、水とオイルのディスパージョン又は水とオイルのエマルジョンが、空気によって、霧化ノズル１４内で霧化され、ワークロール２，３の少なくとも一方及び／又はストリップ６に塗布されること、を特徴とする、オイルと空気の混合物及び／又はオイルと水と空気の混合物が、スタンド入側でワークロール２，３及び／又はストリップ６に塗布される、ロールスタンドのワークロール２，３と、これらワークロール間で圧延及び移送されるストリップ６を潤滑するための方法。【選択図】図１
2014061550.tif 000002
【特許請求の範囲】
【請求項１】
オイルと空気の混合物及び／又はオイルと水と空気の混合物が、スタンド入側でワークロール（２，３）及び／又はストリップ（６）に塗布される、ロールスタンドのワークロール（２，３）と、これらワークロール間で圧延及び移送されるストリップ（６）を潤滑するための方法において、
混合物が、ロールスタンドの前の領域内の少なくとも１つの混合装置（１４，１７，２７，２９，３１，３５）によって処理されること、
水と少なくとも１つのオイルが、別々の供給ライン（７，８，９）を介して混合器（１２）に移送され、この混合器内で、水とオイルのディスパージョン又は水とオイルのエマルジョンに混合されること、
水とオイルのディスパージョン又は水とオイルのエマルジョンが、空気によって、霧化ノズル（１４，１７）内で霧化され、ワークロール（２，３）の少なくとも一方及び／又はストリップ（６）に塗布されること、
を特徴とする方法。
【請求項２】
水、少なくとも１つのオイル及び空気が、多成分混合ノズル又は多成分霧化ノズル（１４，１７，２７，３１）で混合されること、
オイルと水を混合するための混合器及び多成分混合ノズル又は多成分霧化ノズル（１７，３１）が、１つのユニットを構成すること、又は、少なくとも１つのオイルが、先ず、供給ライン内で水と１つの混合物に混合され、この混合物が、次いでマルチ混合ノズル（３５）の内室内で空気と混合されること、又は、水、少なくとも１つのオイル及び空気が、３成分混合ノズル又は４成分混合ノズルの内室（３２）内で混合されること、
を特徴とする請求項１に記載の方法。
【請求項３】
オイルと空気の混合物及び／又はオイルと水と空気の混合物が、ワークロール（２，３）の少なくとも一方の幅及び／又はストリップの幅にわたって配分されることを特徴とする請求項１又は２に記載の方法。
【請求項４】
水の量、少なくとも１つのオイルの量、空気の量、オイルと空気の混合物の量、及び／又は、オイルと水と空気の混合物の量が、コントロールバルブ（１３）によってワークロール（２，３）の少なくとも一方の幅及び／又はストリップ（６）の幅にわたって配分されること、
少なくとも１つのオイルの量及び／又は圧力、水の量及び／又は圧力、空気の量及び／又は圧力、オイルと空気の混合物の量及び／又は圧力、及び／又は、オイルと水と空気の混合物の量及び／又は圧力が、少なくともコントロールバルブ（１３）又は流量計又は圧力コントローラ（１６）又はこれらの組合せによって、ワークロール（２，３）の少なくとも一方の幅及び／又はストリップ（６）の幅にわたってコントロールされること、
を特徴とする請求項１〜３のいずれか１つに記載の方法。
【請求項５】
少なくとも１つのオイル、水及び空気が、３成分ノズル（３５）内で混合され、オイルの量が、ワークロール（２，３）の少なくとも一方の幅及び／又はストリップ（６）の幅にわたってコントロールされること、空気の圧力及び／又は容積と、水の圧力及び／又は容積がコントロールされることを特徴とする請求項１〜４のいずれか１つに記載の方法。
【請求項６】
少なくとも１つのオイルと空気が、混合ブロック（２７）内で混合され、次いで、水が、２成分混合ノズル（２９）内で加えられること、水が、２成分混合ノズル（２９）の内部ノズルチューブ外で混合されること、を特徴とする請求項１〜５のいずれか１つに記載の方法。
【請求項７】
少なくとも１つのオイルが、混合ブロック（２７）内で空気と混合され、ノズル（１４，１７）によって、ワークロール（２，３）の少なくとも一方及び／又はストリップ（６）に吹き付けられ、ノズルの横から水が吹き付けられることを特徴とする請求項１〜６のいずれか１つに記載の方法。
【請求項８】
空気が、ライン（２８）によって混合ブロック（２７）からノズル（２９）へのオイルのための搬送手段として使用され、そこで先ず、ノズル（２９，１４）の内側又は外側で混合され、霧化され、ノズル（１４，１７，２９）によってワークロール（２，３）の少なくとも一方及び／又はストリップ（６）に吹き付けられることを特徴とする請求項１〜７のいずれか１つに記載の方法。
【請求項９】
平面度コントロール装置（４２，４３）によって、少なくとも１つのオイルの供給が、幅にわたって帯域的にコントロールされること、オイルの量、オイルの種類、水内のオイルの濃度及び／又はオイルの種類の混合比率を変更することによって、圧延荷重レベルが、変更されるか、変更された速度、減面率等の圧延条件への適合が可能であること、を特徴とする請求項１〜８のいずれか１つに記載の方法。
【請求項１０】
ロールスタンドのワークロール（２，３）と、これらワークロール間で圧延及び移送されるストリップ（６）を潤滑するための潤滑装置において、
潤滑装置が、水、空気、少なくとも１つのオイルを、オイルと空気の混合物、オイルと水と空気の混合物に混合するための少なくとも１つの混合ブロック（２７）及び／又は霧化ノズルとして形成された多成分混合装置（１４，１７，２９，３１，３５）を備えること、潤滑装置が、ワークロール（２，３）の少なくとも一方及び／又はストリップ（６）にスプレー装置（１４，１７）によって吹き付けるべき混合物の量を決定するためのコントロール装置（１３）を有すること、
を特徴とする潤滑装置。
【請求項１１】
コントロール装置が、ワークロール（２，３）の少なくとも一方の幅又はストリップ（６）の幅にわたって配設されていることを特徴とする請求項１０に記載の潤滑装置。
【請求項１２】
潤滑装置が、流量計及び圧力コントローラ（１６）を有することを特徴とする請求項１０又は１１に記載の潤滑装置。
【請求項１３】
多成分混合装置（２９，３１，３５）が、内部混合器又は外部混合器として形成されていること、多成分混合装置が、乱流板（３４，３６）又はベンチュリノズルもしくはチューブ狭窄部（３７）を有すること、を特徴とする請求項１０〜１２のいずれか１つに記載の潤滑装置。
【請求項１４】
水スプレーバー（３８，３９）が、オイルを含んだ混合物をワークロールの少なくとも一方及び／又はストリップに吹き付けるためのスプレー装置の上及び／又は下に設けられていること、を特徴とする請求項１０〜１３のいずれか１つに記載の潤滑装置。
【請求項１５】
スプレー装置（１４）によって発生されるオイルと空気のミストの横方向のシールドをするための壁が設けられていること、媒体のミストのための吸引装置が設けられていること、シールドが、ワークロール（２，３）又はストリップ（６）に向かって旋回可能であること、を特徴とする請求項１０〜１４のいずれか１つに記載の潤滑装置。
【請求項１６】
潤滑装置が、平面度測定装置の信号を評価してストリップ（６）の平面度をコントロールするためのコントロール装置を有すること、平面度測定装置が、測定ローラ（４２）又は被接触式の測定装置を有し、この測定ローラ又は被接触式の測定装置が、ストリップの平面度に応じた信号を発生させ、少なくとも１つのオイルの量又は濃度を調整するために、スプレー装置（１４）に伝送すること、を特徴とする請求項１０〜１５のいずれか１つに記載の潤滑装置。
【請求項１７】
スプレー装置（１４，１７）が、２列（２４，２５）で、互いに位置をずらして、ワークロール（２，３）の軸に対して平行に配設されていること、又は、スプレー装置（１４，１７）が、一列に形成されており、そのノズルが、大きな噴射角を備え、これにより、隣接する噴流の２重のオーバーラップが得られること、を特徴とする請求項１０〜１６のいずれか１つに記載の潤滑装置。
【請求項１８】
請求項１０〜１７のいずれか１つに記載の潤滑装置を有するロールスタンドにおいて、
ノズルバーが、旋回可能に形成されており、これにより、ノズル出口とワークロール又はストリップ間の間隔が、最小又は最適に調整可能であることを特徴とするロールスタンド。
【発明の詳細な説明】
【技術分野】
【０００１】
本発明は、オイルと空気の混合物及び／又はオイルと水と空気の混合物が、スタンド入側でワークロール及び／又はストリップに塗布される、ロールスタンドのワークロールと、これらワークロール間で圧延及び移送されるストリップを潤滑するための方法に関する。
【背景技術】
【０００２】
ロールスタンドは、互いに支持する複数のロール、例えばワークロールを有し、このワークロールは、圧延材と直接接触し、ワークロール自身は、大抵はより大きいバックアップロール又は中間ロール上で回転する。ストリップを圧延するための多くの熱間圧延ラインには、ロール間隙潤滑システムが統合されている。このロール間隙潤滑システムは、ワークロール及びストリップの表面品質を改善するために使用され、品質的に価値の高いストリップを製造すべき圧延ラインの通常の装備の一部である。キャリアとしての水がオイルと混合され、ストリップ又はワークロール又はバックアップロールに塗布されるシステ  ムは、広く使用されている。
【０００３】
冷間圧延法では、潤滑は普通である。この場合、潤滑剤は、ストリップ及び／又はワークロールに塗布される、及び／又はロール間隙に噴射される。オイルと水の混合は、ロールスタンドから遠く離れたところで行われる。大抵は、エマルジョンが使用され、このエマルジョンは、費用のかかる方法で循環システムで処理され、清浄化され、再び潤滑システムに供給される。
【０００４】
特許文献１から、スプレー噴流の形態の水が、冷却媒体として使用され、オイル、オイルと空気の混合物、オイルと水の混合物、オイルと水と空気の混合物又は油脂の混合物が、潤滑剤として使用される、ロールスタンドのロール、特にワークロールの冷却及び／又は潤滑をするための方法及び装置が公知である。潤滑作用及び冷却作用を改善するために、ストリップ表面とロール表面の冷却とスタンド入側でのロール潤滑との組合せの使用が提案され、この組合せの使用では、両媒体−水及び潤滑剤−が、ロール又はストリップに別々に供給され、ロール表面の異なった塗布箇所に塗布される。水及び潤滑剤のために、それぞれ、スプレーバーへの別々の供給装置が設けられている。
【先行技術文献】
【特許文献】
【０００５】
【特許文献１】国際公開第０３／００２２７７号パンフレット
【発明の概要】
【発明が解決しようとする課題】
【０００６】
本発明の課題は、冷間圧延でも熱間圧でも使用可能な、ストリップを圧延する際に潤滑をするための簡素化された方法を提供することにある。
【課題を解決するための手段】
【０００７】
本発明によれば、この課題は、冒頭で述べた方法において、
混合物が、ロールスタンドの前の領域内の少なくとも１つの混合装置によって処理されること、
水と少なくとも１つのオイルが、別々の供給ラインを介して混合器に移送され、この混合器内で、水とオイルのディスパージョン又は水とオイルのエマルジョンに混合されること、
水とオイルのディスパージョン又は水とオイルのエマルジョンが、空気によって、霧化ノズル内で霧化され、ワークロールの少なくとも一方及び／又はストリップに塗布されること、
によって解決される。冷間圧延の場合、この新しい潤滑方法は、熱間圧延の場合と同様に、使用又は適用の直前で潤滑剤を発生させ、これにより、費用のかかる閉じた回路内での処理を回避することを目標とする。方法を経済的に実施するために、更に、この新しい方法は、使用した潤滑剤の量を最小化することも目標とする。同じ目標が、熱間圧延において本発明による潤滑方法を使用する場合にもある。潤滑剤の量を低減した場合でも、同時に、潤滑作用が最適化され、潤滑効果が調整可能にされるべきである。
【０００８】
潤滑剤として、例えば、オイルと水のディスパージョン、オイルと水のエマルジョン、オイルフリーの潤滑成分、オイルと空気の混合物又はオイルと水と空気の混合物が使用される。媒体は、２成分ノズル、３成分ノズル又は４成分ノズルで吹き付けることができる。
【０００９】
潤滑剤の量を低減するために、特に有利なものとして、潤滑剤を空気で霧化することが考えられる。好ましい形態では、オイルと水が、空気で霧化する直前に初めて混合される。最少量のオイルを、ロール表面又はストリップに塗布することができる。熱間圧延時には、純粋なオイルを使用するのとは違い、オイルと水の混合は、火災の危険がないとの利点を有する。
【００１０】
新しい潤滑方法は、冷間圧延プロセスにおいて、潤滑剤内のオイル濃度を非常に迅速かつ柔軟に変更することができるとの利点を有する。潤滑剤は、圧延すべき種々の材料、種々のストリップ速度、変化する減面率及びそれぞれのロールスタンドに、最適に調整することができる。更に、異なったオイル及び潤滑媒体を、異なった適用目的のために用意することもできる。
【００１１】
ロール表面及び／又はストリップ表面ちょうど湿らされるように、潤滑剤の量が少ないので、費用の係る処理を省略することができる。この場合、噴射バーの長さ１メートル当たりで使用されるオイル量は、１分あたりミリメートル範囲内で変動する。使用された潤滑成分は、冷却装置の水及び場合によっては他のリークオイルと共に水処理装置に導かれ、そこで、オイルが分離される。
【００１２】
本発明の有利な発展形は、従属請求項に記載されている。
【００１３】
本発明によれば、水と少なくとも１つのオイルが、別々の供給ラインを介して混合器に移送され、この混合器内で、水とオイルのディスパージョン又は水とオイルのエマルジョンに混合されることが有利である。この場合、水とオイルのディスパージョン又は水とオイルのエマルジョンは、空気によって、霧化ノズル内で霧化され、ワークロールの少なくとも一方及び／又はストリップに塗布されること、が可能である。
【００１４】
有利なことに、水、少なくとも１つのオイル及び空気を内部で混合する３成分又は４成分混合ノズル又は霧化ノズルが使用される。本発明の意味で、空気の代わりに、他のガス又はガスの混合物が使用可能であること理解できる。
【００１５】
特に、少なくとも１つのオイルは、先ず、供給ライン内で水と１つの混合物に混合され、次いで、この混合物が、３成分又は４成分混合ノズルの内室内で空気と混合される。選択的に、水、少なくとも１つのオイル及び空気は、３成分混合ノズル又は４成分混合ノズルの内室内で混合される。
【００１６】
好ましいことに、オイルと空気の混合物及び／又はオイルと水と空気の混合物は、ワークロールの少なくとも一方の幅及び／又はストリップの幅にわたって配分される。
【００１７】
同様に、水の量、少なくとも１つのオイルの量、空気の量、オイルと空気の混合物の量、及び／又は、オイルと水と空気の混合物の量が、コントロールバルブによってワークロールの少なくとも一方の幅及び／又はストリップの幅にわたって配分される場合が、有利であると分かった。
【００１８】
方法の他の形態では、少なくとも１つのオイルの量及び／又は圧力、水の量及び／又は圧力、空気の量又は圧力、オイルと空気の混合物の量及び／又は圧力、及び／又は、オイルと水と空気の混合物の量及び／又は圧力が、少なくともコントロールバルブ又は流量計又は圧力コントローラ又はこれらの組合せによって、ワークロールの少なくとも一方の幅及び／又はストリップの幅にわたってコントロールされる。
【００１９】
同様に、少なくとも１つのオイル、水及び空気が、３成分ノズル内で混合され、オイルの量が、ワークロールの少なくとも一方の幅及び／又はストリップの幅にわたってコントロールされること、空気の圧力及び／又は容積と、水の圧力及び／又は容積がコントロールされること、も可能である。
【００２０】
選択的に、少なくとも１つのオイルと空気が、混合ブロック内で混合され、次いで、水が、２成分混合ノズル内で加えられることによって、混合工程が実現される。この場合、水が、２成分混合ノズルの内部ノズルチューブ外で混合されること、も可能である。
【００２１】
方法の別の有利な形態では、少なくとも１つのオイルが、混合ブロック内で空気と混合され、ノズルによって、ワークロールの少なくとも一方及び／又はストリップに吹き付けられ、ノズルの横から水が吹き付けられる。
【００２２】
特に、平面度コントロール装置によって、少なくとも１つのオイルの供給が、幅にわたって帯域的にコントロールされる。
【００２３】
本発明は、ロールスタンドのワークロールと、これらワークロール間で圧延及び移送されるストリップを潤滑するための潤滑装置にも関する。
【００２４】
本発明によれば、潤滑装置は、潤滑装置が、水、空気、少なくとも１つのオイルを、オイルと空気の混合物、オイルと水と空気の混合物に混合するための少なくとも１つの混合ブロック及び／又は霧化ノズルとして形成された多成分混合装置を備えることを特徴とする。
【００２５】
潤滑装置が、ワークロールの少なくとも一方及び／又はストリップにスプレー装置によって吹き付けるべき混合物の量を決定するためのコントロール装置、特にコントロールバルブを有することが、有利である。
【００２６】
コントロール装置が、ワークロールの少なくとも一方の幅又はストリップの幅にわたって配設されていることが、有利である。この場合、流量計及び圧力コントローラを設けることもできる。
【００２７】
多成分混合装置は、内部混合器又は外部混合器として形成されている。特に、多成分混合装置は、乱流板又はベンチュリノズルを有する。
【００２８】
水スプレーバーが、オイルを含んだ混合物をワークロールの少なくとも一方及び／又はストリップに吹き付けるためのスプレー装置の上及び／又は下に設けられていることが、有利である。これは、熱間圧延の場合の火災防止作用を有する。脱スケール可能なオイル又は潤滑剤は、水スプレーカーテンによってシールドされ、これにより、加熱されること、及び火災が生じることがない。
【００２９】
付加的に、潤滑装置が、平面度測定装置、特に平面度測定ローラ、の信号を評価してストリップの平面度をコントロールするためのコントロール装置を備えることが、有利である。
【００３０】
特に、平面度測定装置は、測定ローラを有し、この測定ローラが、ストリップの平面度に応じた信号を発生させ、少なくとも１つのオイルの量又は濃度を調整するために、スプレー装置に伝送する。平面度測定装置の使用により、ストリップの平面度は、平面度測定ローラの信号を評価することによって、高次式で考慮することができ、例えばオイルの量又はオイルの濃度を変更することによって、補正をするための措置を講じることができる。
【００３１】
特に、スプレー装置は、個々のスプレーノズルが故障した場合でもロール表面又はストリップの十分な潤滑を保証するために、２列で、ロールの軸に対して平行に、互いに位置をずらして配設されている。
【００３２】
本発明は、ロール及び／又はストリップを潤滑するための前記潤滑装置を使用したロールスタンドにも関する。
【００３３】
以下で、本願発明を、実施例で詳細に説明する。
【図面の簡単な説明】
【００３４】
【図１】潤滑剤が上のワークロールに吹き付けられる、潤滑剤の供給が幅にわたって変更可能なオイル−水−空気−潤滑システムを有する圧延装置。
【図２】幅にわたって同じ量の潤滑剤が上のワークロールに吹き付けられる、オイル−水−空気−潤滑システムを有する圧延装置。
【図３】ストリップの下面に潤滑剤が吹き付けられる、潤滑剤の供給が幅にわたって変更可能なオイル−水−空気−潤滑システムを有する圧延装置。
【図４】潤滑剤が上のワークロールに吹き付けられる、ガス−液体−霧化器を有する多数の３成分混合ノズルを備えるオイル−水−空気−潤滑システムを有する圧延装置。
【図５】例えば図３による圧延装置において使用されているような、水、潤滑剤及びガスを混合するための３成分又は４成分混合ノズルの１つの実施形。
【図６】ロール又はストリップに潤滑剤を塗布するための混合ノズルの２列配設。
【図７】潤滑剤が上のワークロールに吹き付けられる、ガス−液体−霧化器を有する多数の３成分混合ノズルと、これら３成分混合ノズルにそれぞれ付設された、潤滑剤の量をコントロールするためのコントロールバルブとを有するオイル−水−空気−潤滑システムを備える圧延装置。
【図８】潤滑剤とガスが混合ブロック内で混合され、水が、多数の２成分混合ノズル内で加えられ、潤滑剤が、上のワークロールに吹き付けられる、オイル−水−空気−潤滑システムを有する圧延装置。
【図９】媒体が、混合ノズル外で混合される、縦断面図で示した２成分混合ノズルと接続された図８の混合ブロック。
【図１０】縦断面図で示した、媒体室に入る前に液状の媒体の混合部を有する水、潤滑剤及びガスを混合するための３成分混合ノズル。
【図１１】全ての媒体が媒体室で混合される、縦断面図で示した、媒体室に入る前に液状の媒体の混合部を有する水、潤滑剤及びガスを混合するための別の３成分混合ノズル。
【図１２】潤滑剤とガスが混合ブロック内で混合され、潤滑剤が両ワークロールに吹き付けられ、同時に水スプレーバーが火災防止装置として設けられている、オイル−ガス−潤滑システムを有する圧延装置。
【図１３】付加的に平面度測定ローラ及び平面度コントロール装置が設けられている、図７の圧延装置。
【発明を実施するための形態】
【００３５】
圧延装置１（図１）は、２つのワークロール２，３を有し、これらワークロールは、２つのバックアップロール４，５間に支持され、ストリップ６（図３）を圧延する。この場合、潤滑剤、特に第１のオイル及び第２のオイル又は別のオイルと水が、先ず別々の供給ライン７，８及び９を介して供給される。最初に、両オイルが混合される。選択的に、一方又は他方のオイルだけが使用される。所望の量の水と両オイルが、配量ポンプ１０，１１によって調整され、混合器１２に圧送される。これにより、混合器１２の後で、１つになった液体から成るディスパージョン又はエマルジョンが生じる。混合器１２と流れ方向後に配設されたコントロールバルブ１３間の距離は、特に非常に小さいか、分解を回避するための単位である。コントロールバルブ１３は、上のワークロール２の幅全体にわたって配分されている。長いチューブラインを回避できない場合には、所定の間隔で、ライン内に乱流板（ミキサ）が設けられている。チューブラインの横断面は、特に、できるだけ高い流速と、従って短い搬送時間とを実現するために、できるだけ小さく選択される。ワークロール２の幅にわたる潤滑剤の作用を、処理されるストリップ６の幅にも依存して調整することができるようにするため、コントロールバルブ１３は、ストリップ６の幅に応じて、流れ方向後に配設された、２成分混合ノズルとして形成された霧化ノズル１４に排出をする。霧化ノズル１４内で、潤滑剤と水の混合物に、ライン１５を介して空気圧を調整するための圧力コントローラ１６によって供給される空気が加えられる。潤滑剤の量又はオイルの量と水の量の調整は、計算モデル及び／又はコントロール装置のいずれかを介して行なわれ、このコントロール装置は、圧延すべきストリップの材料、速度、減面率、温度及び別のパラメータに依存して潤滑特性を考慮する。コントロールバルブ１３の制御と、配量ポンプ１０，１１によって圧送される量は、互いに調整される。コントロール装置は、潤滑剤の濃度又は潤滑剤の種類を決定し、加えて、ストリップ６のプロフィルコントロールと平面度コントロールを行なう。この場合、ストリップ６の凹凸は、潤滑剤の量の適合供給又は他のパラメータの変更によって補正される。必要時には、オイル量、オイル種類、水内のオイル濃度及び／又はオイル混合比率を変更することによって、圧延荷重レベルに影響を与えることができる。
【００３６】
圧延装置１の簡素化された形態（図２）では、コントロールバルブ１３が設けられていない。この場合には、霧化ノズル１４の貫流が、マニュアルで調整されるか、配量ポンプの調整によって得られる。別の構成（図３）では、潤滑剤と水と空気の混合物が、ストリップ６の下面に直接塗布される。この場合でも、コントロールバルブ１３が設けられている。
【００３７】
別の実施形（図４）では、水、潤滑剤、例えばオイル及び空気が、先ず、別々のライン７，９，１５を介して供給され、次に３成分ノズルとして形成された霧化ノズル１４もしくは１７を介して上のワークロール２に塗布され、流体の混合と霧化が、霧化ノズル１７内のユニットを構成する。しかしながら、この場合でも、コントロール装置が設けられており、これらコントロール装置は、個々に、個々の霧化ノズル１７又は霧化ノズルのグループへのそれぞれの流体の供給をコントロールする。特に、個々の全てのコントロール装置は、コントロールシステムに統合されており、このコントロールシステムは、霧化ノズル１７によってワークロール２又はストリップ６に塗布される流体の容積及び混合比率を算定する。全ての構成（図１〜４）で、同様の形態が、潤滑剤と水と空気の混合物を下のワークロール３もしくはストリップ６の上面に供給するために設けられているか、設けることができる。
【００３８】
霧化ノズル１７（図５）は、内室１８を有する内部混合式の加圧混合ノズルとして形成されており、この内室内に、一方で、供給ライン１９を介して水が供給され、２つの潤滑剤が供給され、必要時には、例えば乱流板３６又はチューブ狭窄部３７によって混合される。液体の混合は、霧化の直前で既に行なわれる。混合器及びノズルは、ここでは、１つのユニットである。２つのライン２０，２１を介して、先ず、その内室１８への出口の直前で潤滑剤が供給ライン１９に内に導入される。ガス、特に空気は、他の供給ライン２２を介して内室１８内に入り、そこで、水と両潤滑剤から成る混合物と共に渦を巻く。次いで、混合物は、円錐状に、ノズル開口２３から出て、ロール又はストリップ６の表面に衝突する。１つ潤滑剤（例えばオイル）又は多数の潤滑剤が重要な成分であるので、本発明の意味で、オイル量だけを、霧化ノズル１７毎に個々にコントロールすることも、他の成分を、グループ化して、即ち、例えばロール及び／又はストリップの幅の大部分にわたってコントロールすることも、可能である。１つの潤滑剤又は複数の潤滑剤の塗布は、水を使用しないで、もっぱら圧縮空気を使用して行なうこともできる。この場合には、２成分ノズルが使用される。
【００３９】
特に冷間圧延の場合には、潤滑膜が、完全にストリップ６の幅全体にわたって作用することが重要である。油膜が崩壊した場合には、不所望のかき傷が表面に生じる。潤滑作用の冗長性を保証するために、特に、ロール、例えばワークロール２又はストリップに対して２つ以上の列２４，２５（図６）の霧化ノズル１７を設けることができ、これら列内では、霧化ノズル１７は、特に互いに位置ずれされて配設されている。選択的に、ノズルが大きな噴射角を備え、これにより、２重のオーバーラップが生じる１列のノズルバーを使用することもできる。これは、１つのノズルが故障した場合に、隣接したノズルがこの領域をカバーするということである。
【００４０】
図１及び３に図示した実施形と同様に、本発明の別の形態では、コントロール装置２６（図７）が設けられており、これらコントロール装置によって、潤滑剤の供給が、霧化ノズル１４毎に個々に、ストリップの幅全体にわたってコントロールされる。水量と空気量を変更することによって、潤滑の全作用に、付加的に影響を与えることができる。熱間圧延の場合は、ワークロール２，３の少なくとも一方が、潤滑剤の作用を受け、冷間圧延の場合は、好ましいことに、ストリップ６が、潤滑剤を供給される。
【００４１】
別のバリエーション（図８）によれば、潤滑剤と空気が、混合ブロック２７内で１つにされる。空気が、潤滑剤を霧化ノズル１４に搬送する。ノズル１４のそれぞれが、個々に供給を受ける。水は、別々にノズル１４内に導入される。
【００４２】
混合ブロック２７内で（図９）、ライン７及び１５から、先ず、潤滑剤と空気が１つにされる。次に、この混合物が、２成分ノズル２９のライン２８を介して、ライン８から供給された水と１つにされる。２成分ノズル２９は、外部混合器として形成されている。これは、潤滑剤と空気の混合物と水が、ノズル出口３０において初めて出会うことを意味する。混合は、流体によって構成される２つの中空円錐が互いに入り込むように吹き付けられることによって可能にされる。この２成分ノズル２９の利点は、潤滑剤と水がノズル出口３０において初めて互いに接触するので、鹸化が排除されることにある。水の供給は、純粋な潤滑剤−空気−潤滑を提供するために遮断することができる。
【００４３】
内室３２を有する内部混合器として形成された２成分ノズル３１（図１０）内で、水とオイルは、先ず、共に供給ライン３３を介して内室３２内に導入され、空気は、別に導入される。オイル−水供給ライン３３内に、媒体の混合を保証するために、乱流板３４又はベンチュリノズルが取り付けられている。
【００４４】
３成分ノズル３５（図１１）は、同様に内室３２を備え、この内室内に、媒体であるオイル、水及び空気が別々にライン７，８及び１５を介して供給される。従って、液状の媒体が、内室内で混合され、空気によって霧化される。
【００４５】
この付加的な水を加える必要がなく、オイルと空気の混合物を使用したい場合は、熱間圧延の場合、火災防止のために、必要時に、オイルと空気の混合物が、外方向のシールドをするウォータカーテンが、水スプレーバー３８，３９（図１２）によって発生される。付加的に、シールド壁４０，４１が、霧化ノズル１４によって発生されるオイルと空気のミストの周囲に設けられている。オイルと空気のミストは、外方向に吸引することができる。遮蔽壁４０，４１とノズルバー１４は、シールド作用を改善し、ノズルをロールの前に密接させて配置することができるようにするために、旋回可能に形成されている。比較可能な吸引装置は、（冷間圧延時の）ストリップに潤滑剤を塗布する場合でも、設けられている。
【００４６】
ストリップ６の表面構造（平面度、均等な応力状態）に影響を与えるために、本発明の他の実施形では、ストリップ６の凹凸を検出するための平面度測定ローラ４２（図１３）又は他の非接触式の（光学式の）平面度測定装置が設けられており、これらが、信号を信号ライン４３を介して（図示されてない）評価装置に伝送する。この評価装置内で、ストリップの幅にわたってワークロール２に適合させられた量の潤滑剤を排出するために霧化ノズル１４もしくはコントロールバルブ１３のコントロール又は制御をするための信号が発生される。帯域毎に排出される潤滑剤の量又は潤滑剤の濃度によって、ストリップの平面度に、二次式又は高次式的に影響を与えることができる。相応のコントロールを下のワークロール３に関して同様に加えることができることが、分かる。同様に、霧化ノズル１４は、ストリップの平面度とストリップの幅にわたるストリップ応力分布に影響を与えるために、潤滑剤を直接ストリップ６に吹き付けることができる。
【符号の説明】
【００４７】
１      圧延装置
２      ワークロール
３      ワークロール
４      バックアップロール
５      バックアップロール
６      ストリップ
７      供給ライン
８      供給ライン
９      供給ライン
１０    配量ポンプ
１１    配量ポンプ
１２    混合器
１３    コントロールバルブ
１４    霧化ノズル（多成分ノズル）
１５    ライン
１６    圧力コントローラ
１７    霧化ノズル（多成分ノズル）
１８    内室
１９    供給ライン
２０    ライン
２１    ライン
２２    供給ライン
２３    ノズル開口
２４    列
２５    列
２６    コントロール装置
２７    混合ブロック
２８    ライン
２９    多成分ノズル
３０    ノズル出口
３１    多成分ノズル
３２    内室
３３    供給ライン
３４    乱流板
３５    多成分ノズル
３６    乱流板
３７    チューブ狭窄部
３８    スプレーバー
３９    スプレーバー
４０    壁
４１    壁
４２    平面度測定ローラ
４３    信号ライン
【図１】
2014061550.tif 000003
【図２】
2014061550.tif 000004
【図３】
2014061550.tif 000005
【図４】
2014061550.tif 000006
【図５】
2014061550.tif 000007
【図６】
2014061550.tif 000008
【図７】
2014061550.tif 000009
【図８】
2014061550.tif 000010
【図９】
2014061550.tif 000011
【図１０】
2014061550.tif 000012
【図１１】
2014061550.tif 000013
【図１２】
2014061550.tif 000014
【図１３】
2014061550.tif 000015